(57)【特許請求の範囲】
【請求項１】
ディスクカートリッジの収納空間及びこの収納空間に連通するディスクカートリッジの挿入口を備えた筐体が、収納ケース本体と該収納ケース本体に対して開閉自在に組み立てられ且つロック手段を介して前記収納ケース本体に対して閉止状態に保持される蓋体とから成るディスクカートリッジ収納ケースであって、
前記収納ケース本体は、底壁部と、該底壁部の両側端に立設され且つそのカートリッジ挿入口側端部内面に回転軸が突設されると共にその反対側端部に開口と該開口の両縁部に配設した係止突起とから成る係止部が形成された各ケース側壁部と、前記底壁部の前記反対側端部に立設されたケース後壁部とによって上方が開放したカートリッジ収納空間を画成し、
前記蓋体は、上壁部と、該上壁部の両側端に立設され且つそのカートリッジ挿入口側端部に前記回転軸が嵌入する孔が設けられると共にその反対側端部にストッパ部材の取付開口を設けた各蓋側壁部と、前記上壁部の前記反対側端部に立設された蓋後壁部とが前記各ケース側壁部と前記ケース後壁部の内側に重なり合うように配設され、
前記ロック手段は、前記ケース側壁部の前記係止部と、前記蓋側壁部の前記の取付開口に取り付けられた前記ストッパ部材とから成り、
更に、前記ストッパ部材は、前記係止部に係止されるべくケース外方に突設されたロック爪と、該ロック爪と前記係止部との係合を解除すべく押圧付勢可能なリリース押圧部と、前記ディスクカートリッジに係合して該ディスクカートリッジを前記収納空間内に保持するディスクカートリッジ保持部とを有しており、前記ディスクカートリッジが前記収納空間内に未収納の際には、前記リリース押圧部を押圧付勢することにより前記ロック爪と前記係止部との係合が解除可能とされ、前記ディスクカートリッジが前記収納空間内に収納された際には、該ディスクカートリッジと前記ストッパ部材が当接することにより、前記リリース押圧部の押圧動作が規制されて前記収納ケース本体と前記蓋体とが閉じ状態に保持されると共に、前記収納ケース本体と前記蓋体とを閉じることにより、前記収納空間内に配置したインデックスシートが挾持固定されることを特徴とするディスクカートリッジ収納ケース。
【請求項２】
前記ストッパ部材が、前記リリース押圧部の移動量を規制するストローク規制手段を備えたことを特徴とする請求項１記載のディスクカートリッジ収納ケース。
【発明の詳細な説明】
【０００１】
【発明の属する技術分野】
本発明は、ディスク状の情報記録媒体を内蔵したディスクカートリッジの収納ケースに係り、特に直径が２．５インチの光磁気ディスクを収納したミニディスクカートリッジを収納するディスクカートリッジ収納ケースに関する。
【０００２】
【従来の技術】
ディスクカートリッジは、磁気ディスクや、光ディスク及び光磁気ディスク等の情報記録媒体をカートリッジ内に内蔵したものであり、近年、記録情報の高密度化に伴い小径化が可能になったこれらディスクカートリッジとして、ＭＤと呼ばれる直径２．５インチのミニディスクを内蔵したミニディスクカートリッジ（以下、ＭＤカートリッジと呼ぶ）が実用に供されている。
ところで、前記ＭＤカートリッジは、カートリッジ全体を外部の衝撃から保護したり、カートリッジ内に粉塵が侵入するのを防止して保管・携帯を容易且つ確実にする為に、図１２に示すような収納ケース５１を用いるのが一般的である。
【０００３】
図１２に示したように、従来の収納ケース５１は、ＭＤカートリッジ５０を収納するため、薄型の平行６面体に形成されたカートリッジ収納空間５３が形成された筐体であり、一面にはＭＤカートリッジ５０を収納するための挿入口５２が開口されている。また、カートリッジ収納空間５３を形成する両側壁５４，５４には、アーチ状のばね部材５５，５５が配設されている。更に、少なくとも上壁は、透明な樹脂（例えば、ポリカーボネート、ポリスチレン、ＡＳ樹脂等）により形成されている。
【０００４】
前記バネ部材５５，５５は、前記収納空間５３側に突出しており、ＭＤカートリッジ５０を差込口５２から収納空間５３内に差し込んだ際には、該ＭＤカートリッジ５０の両側壁の凹部５０ａ，５０ａに弾性的に係合する。これにより、ＭＤカートリッジ５０は収納ケース５１内から不用意に抜け出さないように保持される。
【０００５】
【発明が解決しようとする課題】
ところで、ディスクの記録内容等を記載する為のインデックスシートをこのような収納ケース５１内に配置する為には、前記挿入口５２から狭い収納空間５３内にインデックスシートを挿入しなければならない。ところが、挿入したインデックスシートが安易に脱落しないように大きめのインデックスシートを前記収納空間５３内に圧入するように構成すると、該インデックスシートの挿入性が低下し、使い勝手が悪くなってしまう。一方、インデックスシートを前記収納空間５３内に挿入し易くする為、小さめのインデックスシートを前記収納空間５３内に挿入するように構成したのでは、インデックスシートが安易に脱落してしまう。そこで、従来はインデックスシートを貼付シールとして収納ケース５１の外表面に貼り付けていた。
【０００６】
しかしながら、インデックスを収納ケース５１の外表面に貼り付けたのでは、インデックスが汚れ易く、記載事項がよめなくなってしまうという問題がある。従って、本発明の目的は上記課題を解消することに係り、インデックスシートを収納ケース内に容易に配置することができると共に、安易な脱落を防止することができるディスクカートリッジ収納ケースを提供することである。
【０００７】
【課題を解決するための手段】
本発明の上記目的は、ディスクカートリッジの収納空間及びこの収納空間に連通するディスクカートリッジの挿入口を備えた筐体が、収納ケース本体と該収納ケース本体に開閉自在に設けた蓋体とで構成されたディスクカートリッジ収納ケースであって、
前記収納ケース本体と前記蓋体とを閉じ状態に保持するロック手段を有し、当該ロック手段が前記収納ケース本体のケース周壁部に設けた係止部と、該ケース周壁部の内側に重なり合う前記蓋体の蓋周壁部に設けたストッパ部材とからなり、
前記ストッパ部材が、前記係止部に係止されるべくケース外方に突設されたロック爪と、該ロック爪と前記係止部との係合を解除すべく押圧付勢可能なリリース押圧部と、前記ディスクカートリッジに係合して該ディスクカートリッジを前記収納空間内に保持するディスクカートリッジ保持部とを有しており、
前記ディスクカートリッジが前記収納空間内に未収納の際には、前記リリース押圧部を押圧付勢することにより前記ロック爪と前記係止部との係合が解除可能とされ、
前記ディスクカートリッジが前記収納空間内に収納された際には、該ディスクカートリッジと前記ストッパ部材が当接することにより、前記リリース押圧部の押圧動作が規制されて前記収納ケース本体と前記蓋体とが閉じ状態に保持されると共に、
前記収納ケース本体と前記蓋体とを閉じることにより、前記収納空間内に配置したインデックスシートが挾持固定されることを特徴とするディスクカートリッジ収納ケースにより達成される。
【０００８】
即ち、上記構成によれば、収納ケース本体と蓋体とを開けることにより収納空間内にインデックスシートを容易に配置することができ、収納ケース本体と蓋体とを閉じることにより該インデックスシートを挾持固定して安易な脱落を防止できる。又、ディスクカートリッジが収納ケース内に装填されている時は、収納ケース本体と蓋体とが開くことはなく、ディスクカートリッジを収納ケース内に確実に収納することができる。
【０００９】
尚、好ましくは前記ストッパ部材が、前記リリース押圧部の移動量を規制するストローク規制手段を備えることが良い。
上記構成によれば、リリース押圧部の押込み量を規制することができるので、ストッパ部材の破損を防止する為にリリース押圧部を指で押す際に指の押力を調整する必要がなく、使い勝手が良い。
【００１０】
【発明の実施の形態】
以下、添付図面を参照しながら本発明に基づくディスクカートリッジ収納ケースの一実施形態を詳細に説明する。
図１は本発明の一実施形態に基づくＭＤカートリッジ収納ケースを開けた状態の全体斜視図、図２は図１に示したストッパ部材を表側から見た斜視図、図３は図１に示したストッパ部材を裏側から見た斜視図である。
【００１１】
図１に示すように、ＭＤカートリッジ２（図８参照）を収納するＭＤカートリッジ収納ケース１は、収納ケース本体３と、該収納ケース本体３に開閉自在に設けられた蓋体１５とで構成された筐体であり、薄型の平行６面体に形成されている。
前記収納ケース本体３は、湾曲した凹部４ａが前端に形成された底壁部４と、ケース周壁部として底壁部４の両側端及び後端に立設されたケース側壁部５，５と及びケース後壁部６とによって、上方が開放したディスクカートリッジの収容空間であるカートリッジ収納空間７を画成する。
【００１２】
前記カートリッジ収納空間７は、ＭＤカートリッジ２とほぼ同等の大きさである。ケース側壁部５，５は、前端部内面に回転軸８が突設され、後端部内面に係止部９，９が形成されている。前記ケース後壁部６は、指が掛けられるように凹設された凹部１１を備えている。
前記係止部９は、ケース側壁部５の後端部に形成された開口と、該開口の両縁部に形成された係止突起９ａとから成り、後述するロック爪２３は該係止突起９ａに係止される。
【００１３】
前記蓋体１５は、透明な樹脂から成り、収納ケース本体３の上部を覆う上壁部１６と、蓋周壁部として上壁部１６の両側端及び後端に立設されて前記ケース側壁部５，５及びケース後壁部６の内側に重なり合う蓋側壁部１７，１７及び蓋後壁部１８とを有する。なお、上壁部１６の前端には湾曲した凹部１６ａが形成されている。
【００１４】
前記蓋側壁部１７，１７は、ケース側壁部５，５の回転軸８，８が嵌入される孔１９，１９と、蓋体１５を収納ケース本体に閉じた状態に係止し且つＭＤカートリッジを収納空間内に保持する為のストッパ部材２０と係合する係止部９，９ととを備えている。
前記蓋体１５は、回転軸８，８を中心にしてケース収納体３に回動自在に支持されている。そして、蓋体１５とケース収納体３とを閉じることにより、ＭＤカートリッジ収納ケース１の前端部にＭＤカートリッジ２の挿入口２５が形成される。
【００１５】
前記ストッパ部材２０は、図２，３に示すように、略矩型状に形成されたブロック２１と、ブロック２１の両側部に機械強度向上のため蛇腹のように折曲げられて前記収納ケース本体３のカートリッジ収納空間方向に弾性変形可能な弾性部２８，２８とを有している。
前記ブロック２１は、表面に形成されたリリース押圧部２２と、リリース押圧部２２の両側に形成されたロック爪２３，２３と、裏面に形成されたＭＤカートリッジ保持部２４と、上面に形成された突起２５，２５とを有している。
【００１６】
前記ロック爪２３，２３は、ケース側壁部５の係止部９に係合して蓋体１５を収納ケース本体３に閉じた状態に係止するものである。前記リリース押圧部２２は、ＭＤカートリッジ２が収納空間７内に未収納の際には、ケース内側に押し込まれてロック爪２３，２３と係止部９との係合を解除するものである。
また、ＭＤカートリッジ保持部２４は、ＭＤカートリッジ２が収納空間７内に収納された際には、ＭＤカートリッジ２に係合してＭＤカートリッジ２を収納空間７内に保持すると共に、ロック爪２３，２３と係止部９との係合をロック状態に保つものである。
前記弾性部２８，２８は、各端部の内面に係止爪２９を有すると共に、外面に突条部３０を有している。該突条部３０は、前記ケース側壁部５の内表面と摺動接触するため、かまぼこのように断面が半円形状のものが好ましいがこの形状に限るものではない。
【００１７】
次に、図４〜図６に基づいて蓋側壁部１７にストッパ部材２０を取り付ける場合を説明する。
先ず、ストッパ部材２０を取り付ける取付開口３２等の構成を説明する。図４に示すように、蓋側壁部１７の後端部には取付開口３２が形成され、該取付開口３２の両側部には段部３３が形成されている。段部３３，３３にはスリット３４，３４が形成され、スリット３４，３４の先端部には保持孔３５，３５が形成されている。
【００１８】
また、取付開口３２の底部にはケース外側に突出した突出片３６が形成され、該突出片３６の前記ストッパ部材２０と対向する面には一対の長穴３７，３７が形成されている。なお、長穴３７，３７には、ブロック２１の突起２５，２５が遊嵌されるストローク規制手段３９（図９参照）を構成しており、該ストローク規制手段３９はストッパ部材２０の移動ストローク量を規制する。
尚、前記ストローク規制手段３９としては、ブロック２１に突起２５，２５を備えるとともに突出片３６に長穴３７，３７を設けた場合を説明したが、これとは逆に、ブロック２１に長穴を備えるとともに突出片３６に突起を設けてもよい。また、前記長穴をケース外側方向に貫通する構造とし、前記ストッパ部材２０を押し込んだ時のみ位置を規制、すなわち押込み量を規制する構造としても良い。
【００１９】
次に、図４に示すように、上述した取付開口３２内にストッパ部材２０を差し込む。すなわち、ストッパ部材２０を矢印方向に押し付けて、弾性部２８，２８の端部の係止爪２９，２９をスリット３４，３４内に差し込む。スリット３４，３４の入口側にはテーパ部３４ａ，３４ａが形成されているので係止爪２９，２９を容易に差し込むことができる。
【００２０】
そして、係止爪２９，２９がスリット３４，３４を強制的に通過して保持孔３５，３５内に嵌入すると、図５に示すように係止爪２９，２９がスナップフィットにより蓋側壁部１７に保持されるので、蓋側壁部１７にストッパ部材２０が強固に取り付けられる。
なお、前記係止爪２９，２９は、図５に示すように、互いに外側を向いているが、図６（ａ）〜（ｃ）に示すように係止爪２９，２９の向きは係止機能を安定に果たせる方向であればよく、設計条件等によって夫々内側、上側、下側の何れの向きであってもよい。
【００２１】
次に、図７〜図８に基づいて蓋体１５を閉じてＭＤカートリッジ収納ケース１内にインデックスシート４０を収納する場合を説明する。
図１に示したように、インデックスシート４０を収納ケース本体３のカートリッジ収納空間７に配置する。次いで、蓋体１５を回転軸８，８を中心に回動してケース収納体３に閉じると、図７に示すようにロック爪２３，２３が係止突起９ａ，９ａの内面に当接して、ストッパ部材２０がケース側壁部５の内側に入り込む。この場合、弾性部２８，２８は伸びた状態になる。そして、ロック爪２３，２３が係止突起９ａ，９ａを乗り越えると、図８に示すようにストッパ部材２０が係止部９，９内に嵌入して、蓋体１５を収納ケース本体３に閉じた状態に保持する。
【００２２】
この際、インデックスシート４０は、折曲部４０ａが蓋後壁部１８とケース後壁部６とで挾持され、両側部４０ｂ，４０ｂが蓋側壁部１７，１７と収納ケース本体３の底壁部４とで挾持された状態になる。これにより、インデックスシート４０がカートリッジ収納空間７内に保持される。
なお、ロック爪２３，２３が係止部９，９内に嵌入した時のロック爪２３，２３と係止部９，９とのオーバラップ量は０．１〜０．５ｍｍ、より好ましくは０．１５〜０．４ｍｍとする。即ち、オーバラップ量が０．１ｍｍより小さいとロック爪２３，２３と係止部９，９との係合が不十分になり、０．５ｍｍより大きくするとロック爪２３，２３と係止部９，９との係合を解除することが困難になるからである。
【００２３】
次に、蓋体１５を開けてＭＤカートリッジ収納ケース１内からインデックスシート４０を取り出す場合を説明する。
先ず、ＭＤカートリッジ２をＭＤカートリッジ収納ケース１から取り出す。次に、ストッパ部材２０のリリース押圧部２２を指で押し込んで、ロック爪２３，２３を係止突起９ａ，９ａの下端縁から退避させる。この状態で、ケース後壁部６の凹部１１に指を掛けて、蓋体１５を回転軸８，８を中心に回動してケース収納体３から開ければ、インデックス４０をカートリッジ収納空間７から取り出すことができる。
この際、図９に示すように突出片３６の先端部は、リリース押圧部２２の外面から内側に入り込んでいるので、リリース押圧部２２の指による押し込みが容易になる。この入り込み量Ｓは、０．１〜０．５ｍｍ、より好ましくは０．１５〜０．４ｍｍである。この入り込み量Ｓは、前述のロック爪２３，２３と係止部９，９とのオーバラップ量に合わせて決定される。
【００２４】
次に、図８，図１０及び図１１に基づいてＭＤカートリッジ収納ケース１内にＭＤカートリッジ２を収納する場合を説明する。
図８に示すように、蓋体１５を収納ケース本体３に閉じた状態で、挿入口２５からＭＤカートリッジ２をカートリッジ収納空間７内に差し込む。図１０に示すように、差し込んだＭＤカートリッジ２の先端角部２ａ，２ａ（片側のみ図示する）がＭＤカートリッジ保持部２４に当接して、ＭＤカートリッジ保持部２４をケース外側（矢印方向）に押し出す。
【００２５】
この位置からＭＤカートリッジ２をさらに差し込むと、ＭＤカートリッジ２の先端部の両側に形成された凹部２ｂ，２ｂ（片側のみ図示する）内にＭＤカートリッジ保持部２４が入り込む（図１１参照）。これにより、ＭＤカートリッジ２がカートリッジ収納空間７内から抜け出さないように保持される。
このように、ＭＤカートリッジ２の凹部２ｂ，２ｂ内にＭＤカートリッジ保持部２４が入り込むことにより、ストッパ部材２０はケース内側への移動が規制される。従って、更にストッパ部材２０のリリース押圧部２２を指で押し込こもうとしても、前記ストッパ部材の２４ａの部分が前記ＭＤカートリッジ２に当接するため押し込むことができない。従って、前記ロック爪２３，２３を前記係止部９から解除することができないので、蓋体１５はケース収納体３から開くことがない。
【００２６】
また、前記弾性部２８，２８の各端部の外面に突設された突条部３０，３０が、ケース側壁部５に当接しているので、ＭＤカートリッジ２でＭＤカートリッジ保持部２４がケース外側（矢印方向）に押し出されたときも、前記突条部３０，３０の規制効果により係止爪２９，２９がケース外側へ引っ張られることを防止できる。したがって、ＭＤカートリッジ２の出し入れを繰り返しても、係止爪２９の折曲部２９ａに繰り返し応力が発生しないので破損する恐れがない。
【００２７】
尚、本発明によるディスクカートリッジ収納ケースは、上記実施形態におけるＭＤカートリッジ用の収納ケースに限定されるものではなく、３．５インチのフロッピィディスクや光ディスク等の他のディスクカートリッジ用の収納ケースに応用できることは勿論である。又、蓋体及び収納ケース本体の形状や、ストッパ部材２０及び係止部９の形状は、上記実施形態の蓋体１５や収納ケース本体３の形状に限定されるものではなく、種々の形態を採りうることは言うまでもない。
【００２８】
【発明の効果】
以上述べたように、本発明のディスクカートリッジ収納ケースによれば、収納ケース本体と蓋体とを開けることにより収納空間内にインデックスシートを容易に配置することができ、収納ケース本体と蓋体とを閉じることにより該インデックスシートを挾持固定して安易な脱落を防止できる。
従って、インデックスシートを収納ケース内に容易に配置することができると共に、安易な脱落を防止することができる良好なディスクカートリッジ収納ケースを提供できる。
また、ディスクカートリッジが収納ケースに装填されている時は、収納ケース本体と蓋体とが開くことがなく、ディスクカートリッジを収納ケース内に確実に収納することができる。
【図面の簡単な説明】
【図１】本発明の一実施形態に基づくＭＤカートリッジ収納ケースを開けた状態の全体斜視図である。
【図２】図１に示したストッパ部材を表側から見た斜視図である。
【図３】図１に示したストッパ部材を裏側から見た斜視図である。
【図４】図１に示した蓋体にストッパ部材を取付ける状態を示す斜視図である。
【図５】図１に示した蓋体にストッパ部材を取付けた状態を示す斜視図である。
【図６】図１に示した係止爪の変形例を示す斜視図である。
【図７】図１に示した蓋体を閉じる際のストッパ部材の動作説明図である。
【図８】図１に示したＭＤカートリッジ収納ケースを開けた状態の全体斜視図である。
【図９】図８のＩＸ−ＩＸ線断面図である。
【図１０】図１に示したＭＤカートリッジ収納ケース内にＭＤカートリッジを収納する状態の説明図である。
【図１１】図１に示したＭＤカートリッジ収納ケース内にＭＤカートリッジを収納する状態の説明図である。
【図１２】従来のＭＤカートリッジ収納ケースの全体斜視図である。
【符号の説明】
１  ＭＤカートリッジ収納ケース
２  ＭＤカートリッジ
３  収納ケース本体
５  ケース側壁部
７  カートリッジ収納空間
９  係止部
１５  蓋体
１７  蓋側壁部
２０  ストッパ部材
２１  ブロック
２２  リリース押圧部
２３  ロック爪
２４  ＭＤカートリッジ保持部
２５  挿入口
２８  弾性部
３９  ストローク規制手段
４０  インデッスシート
【図１】
0003578298.tif 000002
【図２】
0003578298.tif 000003
【図３】
0003578298.tif 000004
【図４】
0003578298.tif 000005
【図５】
0003578298.tif 000006
【図６】
0003578298.tif 000007
【図７】
0003578298.tif 000008
【図８】
0003578298.tif 000009
【図９】
0003578298.tif 000010
【図１０】
0003578298.tif 000011
【図１１】
0003578298.tif 000012
【図１２】
0003578298.tif 000013